(57)【要約】【課題】移動体の最高速度と平均速度との双方の計測および表示を的確に行う上で有利な移動体の速度計測装置を提供する。【解決手段】ドップラーセンサ２４によって得られるドップラー信号Ｓｄに基づいて移動体の移動速度の急激な変化が生じる境界点を検出する。そして、境界点以前の第１期間における移動速度の最大速度としての第１速度データと、境界点以降の第２期間における移動速度の平均速度としての第２速度データとを求めてそれら最大速度および平均速度を表示する。ゴルフクラブヘッドでゴルフボールを打撃するといったように２つの移動体が存在する場合に、ゴルフクラブヘッドのヘッド速度とゴルフボールの初速との双方を１回の計測で的確に得ることができる。【選択図】図６
2011089907.tif 000002
【特許請求の範囲】
【請求項１】
移動体に向けて送信波を送信すると共に、前記移動体で反射された反射波を受信し、ドップラー周波数を有するドップラー信号を生成するドップラーセンサと、
前記ドップラー信号を、前記ドップラー周波数に対応付けられた中間データに変換すると共に、前記中間データを予め定められたサンプリング周期でサンプリングする検出部と、
前記検出部でサンプリングされた前記中間データを時間経過に従って順番に蓄積する蓄積部と、
前記蓄積部に蓄積された前記中間データが時間経過と共にＮ個（Ｎは２以上の自然数）連続して数値が増加あるいは減少したか否かを判定する判定部と、
前記判定部による判定結果が肯定である場合に、前記中間データがＮ個連続して数値が増加あるいは減少した時点を境界点とし、前記中間データの先頭データのサンプリング時点から前記境界点までの期間を第１期間とし、前記境界点から前記中間データの最終データのサンプリング時点までの期間を第２期間として設定する期間設定部と、
前記第１期間における前記中間データの最小値あるいは最大値に基づいて最高速度としての第１速度データを求める第１演算動作と、前記第２期間における前記中間データの平均値に基づいて平均速度としての第２速度データを求める第２演算動作とを行う演算部と、
前記第１速度データおよび前記第２速度データの双方を表示可能な表示領域を有する表示部と、
前記第１速度データおよび前記第２速度データの一方または双方を前記表示領域に表示させる制御部と、
を備えることを特徴とする移動体の速度計測装置。
【請求項２】
移動体に向けて送信波を送信すると共に、前記移動体で反射された反射波を受信し、ドップラー周波数を有するドップラー信号を生成するドップラーセンサと、
前記ドップラー信号を、前記ドップラー周波数に対応付けられた中間データに変換すると共に、前記中間データを予め定められたサンプリング周期でサンプリングする検出部と、
前記検出部でサンプリングされた前記中間データを時間経過に従って順番に蓄積する蓄積部と、
前記蓄積部に蓄積された前記中間データの単位時間当たりの変化量の絶対値が予め定められている閾値を上回ったか否かを判定する判定部と、
前記判定部による判定結果が肯定である場合に、前記変化量の絶対値が前記閾値を上回った時点を境界点とし、前記中間データの先頭データのサンプリング時点から前記境界点までの期間を第１期間とし、前記境界点から前記中間データの最終データのサンプリング時点までの期間を第２期間として設定する期間設定部と、
前記第１期間における前記中間データの最小値あるいは最大値に基づいて最高速度としての第１速度データを求める第１演算動作と、前記第２期間における前記中間データの平均値に基づいて平均速度としての第２速度データを求める第２演算動作とを行う演算部と、
前記第１速度データおよび前記第２速度データの双方を表示可能な表示領域を有する表示部と、
前記第１速度データおよび前記第２速度データの一方または双方を前記表示領域に表示させる制御部と、
を備えることを特徴とする移動体の速度計測装置。
【請求項３】
前記制御部に対して表示モードを設定するための操作部をさらに備え、
前記制御部は、前記操作部が操作されることにより前記表示モードとして第１表示モードが設定されると、前記制御部は、前記第１速度データおよび前記第２速度データの双方を前記表示領域に表示させ、
前記制御部は、前記操作部が操作されることにより前記表示モードとして第２表示モードが設定されると、前記制御部は、前記第１速度データのみを前記表示領域に表示させ、
前記制御部は、前記操作部が操作されることにより前記表示モードとして第３表示モードが設定されると、前記制御部は、前記第２速度データのみを前記表示領域に表示させる、
ことを特徴とする請求項１または２記載の移動体の速度計測装置。
【請求項４】
前記表示領域は、前記第１速度データを表示する第１表示領域と、前記第２速度データを表示する第２表示領域とを備える、
ことを特徴とする請求項１または２記載の移動体の速度計測装置。
【請求項５】
前記制御部に対して計測モードを設定するための操作部をさらに備え、
前記制御部は、前記操作部が操作されることにより前記計測モードとして第１計測モードが設定されると、前記制御部は、前記判定部による前記判定結果が否定である場合に、前記蓄積部に蓄積された全ての前記中間データの最小値あるいは最大値に基づいて最高速度としての第３速度データを求める第３演算動作を前記演算部に行わせると共に、前記第３速度データを前記表示領域に表示させ、前記制御部は、前記判定部による前記判定結果が肯定である場合に、前記第１速度データを前記表示領域に表示させる、
ことを特徴とする請求項１または２記載の移動体の速度計測装置。
【請求項６】
前記制御部に対して計測モードを設定するための操作部をさらに備え、
前記制御部は、前記操作部が操作されることにより前記計測モードとして第２計測モードが設定されると、前記制御部は、前記判定部による前記判定結果が否定である場合に、前記蓄積部に蓄積された全ての前記中間データの平均値に基づいて平均速度としての第４速度データを求める第４演算動作を前記演算部に行わせると共に、前記第４速度データを前記表示領域に表示させ、前記制御部は、前記判定部による前記判定結果が肯定である場合に、前記第２速度データを前記表示領域に表示させる、
ことを特徴とする請求項１または２記載の移動体の速度計測装置。
【請求項７】
前記演算部による前記第２演算動作は、前記第２期間において予め定められた上限値と下限値との間に該当する前記中間データに対してなされる、
ことを特徴とする請求項１または２記載の移動体の速度計測装置。
【請求項８】
前記上限値は、前記第１速度データに対応する前記中間データに、予め定められた第１係数を乗じた値であり、
前記下限値は、前記第１速度データに対応する前記中間データに、前記第１係数よりも小さな値であって予め定められた第２係数を乗じた値である、
ことを特徴とする請求項７記載の移動体の速度計測装置。
【請求項９】
前記送信波はマイクロ波である、
ことを特徴とする請求項１または２記載の移動体の速度計測装置。
【請求項１０】
前記制御部は、前記第１速度データに対する前記第２速度データの比率を初速効率として算出すると共に、前記初速効率を前記表示領域に表示させる、
ことを特徴とする請求項１または２記載の移動体の速度計測装置。
【請求項１１】
前記制御部は、前記第１速度データに対する前記第２速度データの比率を初速効率として算出すると共に、予め定められた初速効率の最大値に対する前記初速効率の比率をインパクト効率として算出し、前記インパクト効率を前記表示領域に表示させる、
ことを特徴とする請求項１または２記載の移動体の速度計測装置。
【請求項１２】
前記制御部は、前記第１速度データおよび前記第２速度データの双方または一方を前記表示領域に表示させるごとに計測回数を計数すると共に、計数された計測回数を前記表示領域に表示させる、
ことを特徴とする請求項１または２記載の移動体の速度計測装置。
【発明の詳細な説明】
【技術分野】
【０００１】
本発明は移動体の速度計測装置に関する。
【背景技術】
【０００２】
移動体の速度を計測する方法として、電波や超音波を発信し、移動体からの反射波との周波数変化から速度を算出するドップラー法が広く知られており、野球など、ボールの移動速度を計測する速度計測装置などに用いられている。
しかしながら、この速度計測装置では、ドップラーセンサから出力されるドップラー信号をFFT（高速フーリエ変換）などを用いて解析することにより、一定期間における移動体の平均速度を求めるものである。
そのため、直線的に移動する移動体の速度の計測は行えるが、ゴルフクラブや野球のバットのスイングのように、移動方向が常に変化し、なおかつ加減速を繰り返すような移動体の速度を正確に計測することは困難である。
これに対して、ドップラー法を用いた移動体の速度の計測方法として、速度を測定し続け、先に記憶された速度よりも速い任意の測定速度によって最高速度の記憶値を置き換えることで、速度の最大値を求める方法が開示されている（特許文献１参照）。
また、ドップラー信号の周期データをメモリに蓄積しておき、メモリに蓄積された周期データに基づいて移動体の最高速度を求める方法が開示されている（特許文献２参照）。
【先行技術文献】
【特許文献】
【０００３】
【特許文献１】特開２００６−３２６３１８号公報
【特許文献２】特開２００８−２４６１３９号公報
【発明の概要】
【発明が解決しようとする課題】
【０００４】
しかしながら、これら従来技術は、何れも移動体の最高速度を検出することに留まるものである。
例えば、ゴルフクラブヘッドでゴルフボールを打撃した際におけるゴルフクラブヘッドの速度と、ゴルフボールの初速との両者を計測することを考える。
この場合、ゴルフクラブヘッドの速度については、ゴルフボールを打撃する直前の速度を計測することが適していると考えられる。また、ゴルフボールの初速については、打撃されてから所定期間におけるゴルフボールの平均速度を計測することが適していると考えられる。
したがって、従来技術では、移動体の最高速度を計測することはできるものの、移動体の平均速度を計測する上では不十分なものであった。
特に、ゴルフクラブヘッドでゴルフボールを打撃するといったように２つの移動体が存在する場合には、移動体の特性に応じた速度計測を的確に行うことが求められている。
本発明は、このような事情に鑑みてなされたものであり、その目的は、移動体の最高速度と平均速度との双方の計測および表示を的確に行う上で有利な移動体の速度計測装置を提供することにある。
【課題を解決するための手段】
【０００５】
上記目的を達成するために、本発明の移動体の速度計測装置は、移動体に向けて送信波を送信すると共に、前記移動体で反射された反射波を受信し、ドップラー周波数を有するドップラー信号を生成するドップラーセンサと、前記ドップラー信号を、前記ドップラー周波数に対応付けられた中間データに変換すると共に、前記中間データを予め定められたサンプリング周期でサンプリングする検出部と、前記検出部でサンプリングされた前記中間データを時間経過に従って順番に蓄積する蓄積部と、前記蓄積部に蓄積された前記中間データが時間経過と共にＮ個（Ｎは２以上の自然数）連続して数値が増加あるいは減少したか否かを判定する判定部と、前記判定部による判定結果が肯定である場合に、前記中間データがＮ個連続して数値が増加あるいは減少した時点を境界点とし、前記中間データの先頭データのサンプリング時点から前記境界点までの期間を第１期間とし、前記境界点から前記中間データの最終データのサンプリング時点までの期間を第２期間として設定する期間設定部と、前記第１期間における前記中間データの最小値あるいは最大値に基づいて最高速度としての第１速度データを求める第１演算動作と、前記第２期間における前記中間データの平均値に基づいて平均速度としての第２速度データを求める第２演算動作とを行う演算部と、前記第１速度データおよび前記第２速度データの双方を表示可能な表示領域を有する表示部と、前記第１速度データおよび前記第２速度データの一方または双方を前記表示領域に表示させる制御部とを備えることを特徴とする。
また、本発明の移動体の速度計測装置は、移動体に向けて送信波を送信すると共に、前記移動体で反射された反射波を受信し、ドップラー周波数を有するドップラー信号を生成するドップラーセンサと、前記ドップラー信号を、前記ドップラー周波数に対応付けられた中間データに変換すると共に、前記中間データを予め定められたサンプリング周期でサンプリングする検出部と、前記検出部でサンプリングされた前記中間データを時間経過に従って順番に蓄積する蓄積部と、前記蓄積部に蓄積された前記中間データの単位時間当たりの変化量の絶対値が予め定められている閾値を上回ったか否かを判定する判定部と、前記判定部による判定結果が肯定である場合に、前記変化量の絶対値が前記閾値を上回った時点を境界点とし、前記中間データの先頭データのサンプリング時点から前記境界点までの期間を第１期間とし、前記境界点から前記中間データの最終データのサンプリング時点までの期間を第２期間として設定する期間設定部と、前記第１期間における前記中間データの最小値あるいは最大値に基づいて最高速度としての第１速度データを求める第１演算動作と、前記第２期間における前記中間データの平均値に基づいて平均速度としての第２速度データを求める第２演算動作とを行う演算部と、前記第１速度データおよび前記第２速度データの双方を表示可能な表示領域を有する表示部と、前記第１速度データおよび前記第２速度データの一方または双方を前記表示領域に表示させる制御部とを備えることを特徴とする。
【発明の効果】
【０００６】
本発明によれば、移動体の移動速度の急激な変化が生じる境界点を検出し、境界点以前の第１期間における移動速度の最大速度としての第１速度データと、境界点以降の第２期間における移動速度の平均速度としての第２速度データとを求めてそれら最大速度および平均速度を表示するようにした。
したがって、移動体の最大速度と平均速度との双方を１回の計測で的確に得て表示することができ、使用者の利便性の向上を図る上で有利となる。
【図面の簡単な説明】
【０００７】
【図１】本実施の形態の移動体の速度計測装置１０の外観を示す平面図である。
【図２】ゴルフモードにおける速度計測装置１０の液晶パネル２０の表示状態を示す平面図である。
【図３】バットモードにおける速度計測装置１０の液晶パネル２０の表示状態を示す平面図である。
【図４】ボールモードにおける速度計測装置１０の液晶パネル２０の表示状態を示す平面図である。
【図５】移動体の速度計測装置１０の構成を示すブロック図である。
【図６】移動体の速度計測装置１０の機能ブロック図である。
【図７】ドップラー信号Ｓｄをウェーブレット解析した結果を示す図である。
【図８】ゴルフクラブヘッド２およびゴルフボール６を移動体として計測する場合の速度計測装置１０の設置状態を説明する平面図である。
【図９】ゴルフクラブヘッド２およびゴルフボール６を移動体として計測する場合の速度計測装置１０の動作を示すフローチャートである。
【図１０】野球用のバット５０を移動体として計測する場合の速度計測装置１０の設置状態を説明する平面図である。
【図１１】野球用のバット５０を移動体として計測する場合の速度計測装置１０の動作を示すフローチャートである。
【図１２】サッカー用のボール６０を移動体として計測する場合の速度計測装置１０の設置状態を説明する平面図である。
【図１３】サッカー用のボール６０を移動体として計測する場合の速度計測装置１０の動作を示すフローチャートである。
【発明を実施するための形態】
【０００８】
以下、本発明の実施の形態について図面を参照して説明する。
図１に示すように、移動体の速度計測装置１０（以下単に速度計測装置１０という）は、筐体１２を備えている。
筐体１２は、上下方向の厚さと、厚さよりも大きな寸法の左右方向の幅と、幅よりも大きな寸法の前後方向の長さを有している。
筐体１２の上面１４は、長手方向を筐体１２の前後方向に平行させたほぼ長方形を呈している。
上面１４の前後はそれぞれ筐体１２の前部１６と後部１８とに接続されている。
前部１６には後述するアンテナ２４（図５）が組み込まれている。
また、上面１４に対向する下面には速度計測装置１０を三脚などの固定具に取り付けるための雌ねじ（カメラネジ）が設けられている。
【０００９】
上面１４の前部１６寄りには、液晶パネル２０がその表示面２００２を上方に向けて設けられており、上面１４の大半は表示面２００２で占有されている。
表示面２００２は、第１、第２、第３履歴表示領域２０１０、２０１２、２０１４と、第１表示領域２０２０と、第２表示領域２０２２と、第１単位表示領域２０３０と、第２単位表示領域２０３２と、計測モード表示領域２０４０と、バッテリ残量表示領域２０５０などを含んで構成されている。
【００１０】
第１、第２、第３履歴表示領域２０１０、２０１２、２０１４は、計測された速度の履歴を第１、第２、第３履歴表示領域２０１０、２０１２、２０１４の順番で時系列順に表示するものである。
【００１１】
第１表示領域２０２０、第２表示領域２０２２は、計測した移動体の速度データを表示するものである。
【００１２】
第１単位表示領域２０３０は、第１表示領域２０２０に表示された速度の単位を表示するものであり、本実施の形態では、ｍ／ｓ（秒速）、ｋｍ／ｈ（時速）、ＭＰＨ（マイル単位の時速）の３種類の表示が選択的になされるものである。
第２単位表示領域２０３２は、第２表示領域２０２２に表示された速度の単位を表示するものであり、本実施の形態では、ＭＰＨ（マイル単位の時速）、ｍ／ｓ（秒速）の２種類の表示が選択的になされるものである。
なお、第１、第２単位表示領域２０３０、２０３２に表示されている「％」は、後述するインパクト効率Ｉｐの単位である。
本実施の形態では、液晶パネル２０によって特許請求の範囲における「前記第１速度データおよび前記第２速度データの双方を表示可能な表示領域を有する表示部」が構成されている。
表示部は、液晶パネル２０に限定されるものではなく、従来公知のさまざまな表示装置が使用可能である。
また、第１表示領域２０２０と第２表示領域２０２２によって特許請求の範囲における「前記第１速度データおよび前記第２速度データの双方を表示可能な表示領域」が構成されている。
【００１３】
計測モード表示領域２０４０は、速度計測装置１０の３種類の計測モードであるゴルフモード、バットモード、ボールモードを表示するためのものである。
本実施の形態では、計測モード表示領域２０４０にバットアイコン２０４０Ａとボールアイコン２０４０Ｂとが表示される。
すなわち、計測モードがゴルフモードである場合には、バットアイコン２０４０Ａとボールアイコン２０４０Ｂとの双方が非表示となる。
また、計測モードがバットモードである場合には、バットアイコン２０４０Ａが表示され、ボールアイコン２０４０Ｂが非表示となる。
また、計測モードがボールモードである場合には、バットアイコン２０４０Ａが非表示となり、ボールアイコン２０４０Ｂが表示される。
【００１４】
バッテリ残量表示領域２０５０は、バッテリの残量に応じて面積が段階的に増減するバッテリアイコン２０５０Ａを表示するためのものである。
【００１５】
上面１４の後部１８寄りには、操作スイッチ２２が設けられている。
本実施の形態では、操作スイッチ２２は、モード選択ボタン２２０２と、ファンクションボタン２２０４と、履歴ボタン２２０６と、電源ボタン２２０８とを備えている。
モード選択ボタン２２０２は、速度計測装置１０の計測モードをゴルフモード、バットモード、ボールモードの何れかに選択させるためのものである。
また、モード選択ボタン２２０２を長押し（２秒以上）することにより、第１単位表示領域２０３０に表示される速度の単位を、ｍ／ｓまたはＭＰＨに選択的に切り替えるためのものである。
ファンクションボタン２２０４は、履歴されたデータのクリアなどを行うためのものである。
履歴ボタン２２０６は、履歴されたデータのスクロールなどを行うためのものである。
電源ボタン２２０８は、電源のオン、オフを行うためのものである。
【００１６】
次に図５を参照して速度計測装置１０の構成について説明する。
速度計測装置１０は、前記の液晶パネル２０、操作スイッチ２２に加えて、アンテナ２４、ドップラーセンサ２６、信号処理回路２８、演算処理機構３０を含んで構成されている。
【００１７】
アンテナ２４は、ドップラーセンサ２６から供給される送信信号に基づいて送信波Ｗ１としてのマイクロ波を移動体に向けて送信すると共に、移動体で反射された反射波Ｗ２を受信して受信信号をドップラーセンサ２６に供給するものである。
なお、図５において符号２は移動体としてのゴルフクラブヘッドを示し、符号４はゴルフクラブを示し、符号６は移動体としてのゴルフボールを示す。
【００１８】
ドップラーセンサ２６は、アンテナ２４に前記送信信号を供給すると共に、アンテナ２４から供給される前記受信信号を受け付けてドップラー信号Ｓｄを検出するものである。
ドップラー信号とは、前記送信信号の周波数Ｆ１と前記受信信号の周波数Ｆ２との差分の周波数Ｆ１−Ｆ２で定義されるドップラー周波数Ｆｄを有する信号である。
ドップラーセンサ２６は、市販されている種々のものが使用可能である。
なお、前記の送信信号としては、例えば、２４ＧＨｚのマイクロ波が使用可能であり、ドップラー信号Ｓｄを得られるものであれば送信信号の周波数は限定されない。
【００１９】
ここで、ドップラーセンサ２６を用いた移動体の速度検出の原理について説明する。
従来から知られているように、ドップラー周波数Ｆｄは式（１）で表される。
Ｆｄ＝Ｆ１−Ｆ２＝Ｖ・Ｆ１／ｃ      （１）
ただし、Ｖ：移動体の速度、ｃ：光速（３・１０８ｍ／ｓ）
したがって、（１）式をＶについて解くと、（２）式となる。
Ｖ＝ｃ・Ｆｄ／Ｆ１        （２）
したがって、移動体の速度Ｖは、ドップラー周波数Ｆｄに比例することになる。
【００２０】
次に、ドップラーセンサ２６によってゴルフクラブヘッド２およびゴルフボール６を検出した場合のドップラー周波数Ｆｄの計測結果について説明する。
図７は、ドップラー信号Ｓｄをウェーブレット解析した結果を示す図である。
横軸は時間ｔ（ｍｓ）、縦軸はドップラー周波数Ｆｄ（Ｈｚ）および移動体の速度Ｖ（ｍ／ｓ）を示す。
このような線図は、例えば、ドップラー信号Ｓｄをサンプリングしてデジタルオシロスコープに取り込んでデジタルデータに変換し、該デジタルデータをパーソナルコンピュータなどを用いてウェーブレット解析、あるいは、連続ＦＦＴ解析することで得られる。
【００２１】
図７は、ティー上に載置されているゴルフボール６が、スウィングされたゴルフクラブヘッド２によって打撃される前後の過程を示している。
符号Ａで示される周波数分布（速度分布）はゴルフボール６を打撃するまでの期間におけるゴルフクラブヘッド２に対応するドップラー周波数Ｆｄ（速度Ｖ）の検出結果を示している。
符号Ｂで示される周波数分布（速度分布）はゴルフクラブヘッド２で打撃された以降の期間におけるゴルフボール６に対応するドップラー周波数Ｆｄ（速度Ｖ）の検出結果を示している。
符号Ｃで示される周波数分布（速度分布）はゴルフボール６を打撃した以降の期間におけるゴルフクラブヘッド２に対応するドップラー周波数Ｆｄ（速度Ｖ）の検出結果を示している。
なお、図７に示す周波数分布Ａ，Ｂ，Ｃにおいて、ハッチングで示した部分はドップラー信号Ｓｄの強度が大きく、実線で示した部分はドップラー信号Ｓｄの強度がハッチングで示した部分よりも小さいことを示している。
【００２２】
周波数分布Ａは、スウィングされたゴルフクラブヘッド２がドップラーセンサ２６の検出領域内に進入した時点から計測され時間経過とともに増速する過程を示している。
また、周波数分布Ｃは、ゴルフクラブヘッド２がゴルフボール６を打撃することにより急激に減速する過程を示している。
また、周波数分布Ｂは、ゴルフクラブヘッド２で打撃されたゴルフボール６が周波数分布Ａにおけるゴルフクラブヘッド２の最高速度よりも高い速度で打ち出されほぼ一定速度で移動する過程を示している。
従来、ドップラーセンサを用いた移動体の速度計測装置では、このように２つの移動体が同時に移動している場合には、これら複数の周波数分布が混在して検出されることから、２つの移動体の移動速度を特定して計測することは困難である。
【００２３】
本発明者らは図７から次の知見を得た。
（１）ゴルフクラブヘッド２の移動速度Ｖ（ドップラー周波数Ｆｄ）は、ゴルフボール６を打撃することで大きく減速する。
すなわち、ゴルフクラブヘッド２の移動速度Ｖ（ドップラー周波数Ｆｄ）の単位時間当たりの変化量は、ゴルフボール６の打撃時に大きく変化する。
ゴルフクラブヘッド２の最高速度（いわゆるヘッド速度）は、打撃前の期間におけるゴルフクラブヘッド２の移動速度Ｖの最高速度となる。
すなわち、ゴルフクラブヘッド２の最高速度は、図７の周波数分布Ａにおけるドップラー周波数Ｆｄの最高周波数に対応する移動速度となる。
（２）ゴルフボール６の移動速度Ｖ（ドップラー周波数Ｆｄ）は、ゴルフクラブヘッド２によって打撃された以降、ほぼ一定速度とみなすことができる。
ゴルフボール６の初速は、図７の周波数分布Ｂにおけるドップラー周波数Ｆｄに対応する移動速度となる。
（３）したがって、周波数分布Ａを判別して周波数分布Ａにおける最高速度を求めることでゴルフクラブヘッド２の最高速度を計測できる。
また、周波数分布Ｂを判別して周波数分布Ｂにおける平均速度を求めることでゴルフボール６の初速を計測することができる。
本発明はこのようなこのような知見に基づいて、移動体の移動速度の変化が移動体によって互いに異なる傾向および特徴を有することに基づいてそれら移動体の移動速度を的確に計測するものである。
【００２４】
図５に戻って説明を続ける。
信号処理回路２８は、ドップラーセンサ２６から供給されるドップラー信号Ｓｄを増幅し、予め定められた閾値を基準としてローレベルとハイレベルとの２値をとる２値化信号に変換するものである。
したがって、ドップラー信号Ｓｄの周期は２値化信号の周期に対応することになり、言い換えると、ドップラー信号Ｓｄの周波数は２値化信号の周波数に対応することになる。
【００２５】
演算処理機構３０は、信号処理回路２８から供給される増幅された２値化データを入力して種々の処理を行うことにより、移動体の速度を算出するものである。
本実施の形態では、演算処理機構３０は、マイクロコンピュータ３２によって構成されている。
マイクロコンピュータ３２は、ＣＰＵ３２Ａと、不図示のインターフェース回路およびバスラインを介して接続されたＲＯＭ３２Ｂ、ＲＡＭ３２Ｃ、インターフェース３２Ｄ、表示用ドライバ３２Ｅなどを含んで構成されている。
ＲＯＭ３２ＢはＣＰＵ３２Ａが実行する速度計測用プログラムなどを格納し、ＲＡＭ３２Ｃはワーキングエリアを提供するものである。
インターフェース３２Ｄは、信号処理回路２８から供給される２値化信号を入力してＣＰＵ３２Ａに供給し、また、操作スイッチ２２からの操作信号を受け付けてＣＰＵ３２Ａに供給するものである。
表示用ドライバ３２ＥはＣＰＵ３２Ａの制御に基づいて液晶パネル２０を駆動するものである。
【００２６】
図６はマイクロコンピュータ３２の構成を機能ブロックで示した速度計測装置１０のブロック図である。
マイクロコンピュータ３２は、機能的には、検出部３４と、蓄積部３６と、判定部３８と、期間設定部４０と、演算部４２と、制御部４４とを含んで構成されている。
また、検出部３４と、判定部３８と、期間設定部４０と、演算部４２と、制御部４４とは、ＣＰＵ３２Ａが前記速度計測用プログラムを実行することで実現されるものであるが、これらの部分は、回路等のハードウェアで構成されたものであってもよい。
【００２７】
検出部３４は、信号処理回路２８から供給される２値化信号をドップラー周波数Ｆｄに対応付けられた中間データに変換すると共に、中間データを予め定められたサンプリング周期でサンプリングするものである。
本実施の形態では、検出部３４は、２値化信号の周期をカウンタを用いて計数することにより２値化信号の周期を中間データとして生成する。
言い換えると、検出部３４は、ドップラー信号Ｓｄの周期をカウントすることにより時系列データとしての周期データを得ることにより、この周期データをドップラー周波数Ｆｄに対応付けられた中間データとして生成する。
したがって、中間データの値とドップラー周波数Ｆｄは反比例することになる。
【００２８】
本実施の形態では、信号処理回路２８と検出部３４によって特許請求の範囲における「ドップラー信号を、ドップラー周波数に対応付けられた中間データに変換すると共に、中間データを予め定められたサンプリング周期でサンプリングする検出部」が構成されている。
なお、本実施の形態では、ドップラー周波数Ｆｄに対応付けられた中間データが周期のデータである場合について説明するが、中間データはドップラー周波数Ｆｄを表す周波数のデータであってもよい。
しかしながら、中間データとして周波数のデータを用いる場合には、信号処理としてＦＦＴ変換を行うなど処理回路の構成が複雑となりまた処理時間が長くなるなどの不利がある。これに対して本実施の形態のように、中間データとして周期のデータを用いると、処理回路の構成が簡素化され処理時間の短縮化を図る上でも有利となる。
【００２９】
蓄積部３６は、検出部３４でサンプリングされた中間データを時間経過に従って順番に蓄積するものであり、本実施の形態では、記憶手段としてのＲＡＭ３２Ｃで構成されている。
【００３０】
判定部３８は、蓄積部３６に蓄積された中間データが時間経過と共にＮ個（Ｎは２以上の自然数）連続して数値が増加あるいは減少したか否かを判定することで、移動体の移動速度が急激に減速したか否かを判定するものである。
本実施の形態では、中間データが周期を示すので、中間データが時間経過と共にＮ個（Ｎは２以上の自然数）連続して数値が増加したか否かを判定することで、移動体の移動速度が急激に減速したか否かを判定する。
すなわち、移動体がゴルフクラブヘッド２およびゴルフボール６の２つの移動体である場合、ゴルフクラブヘッド２が移動して静止状態にあるゴルフボール６を打撃すると、ゴルフクラブヘッド２の移動速度は打撃時点を境にして急激に減速し、ゴルフボール６は打ち出される。
言い換えると、判定部３８は、一方の移動体が他方の移動体を打撃することにより一方の移動体の移動速度が急激に減速したか否かを判定するものである。
なお、ゴルフクラブヘッド２がゴルフボール６を打撃すると、ヘッド速度が５〜１０ｍ／ｓ程度減速する。
【００３１】
また、判定部３８として次の構成も採用してもよい。
すなわち、判定部３８は、蓄積部３６に蓄積された中間データの単位時間当たりの変化量の絶対値が予め定められた閾値を上回ったか否かを判定することで、移動体の移動速度が急激に減速したか否かを判定するものである。
しかしながら、判定部３８が前記のように蓄積部３６に蓄積された中間データが時間経過と共にＮ個連続して数値が増加あるいは減少したか否かを判定するものであった場合には、中間データに含まれるノイズが判定結果に与える影響を抑制する上でより有利となる。ここで、中間データに含まれるノイズとは、ドップラー信号Ｓｄに含まれるノイズに起因するものである。
【００３２】
期間設定部４０は、判定部３８による判定結果が肯定である場合に次の動作を行う。
すなわち、期間設定部４０は、図７に示すように、中間データがＮ個連続して数値が増加あるいは減少した時点を境界点ｔ０とする。
期間設定部４０は、中間データの先頭データのサンプリング時点ｔ１から境界点ｔ０までの期間を第１期間ΔＴ１とし、境界点ｔ０から中間データの最終データのサンプリング時点ｔ２までの期間を第２期間ΔＴ２として設定する。
なお、判定部３８が、蓄積部３６に蓄積された中間データの単位時間当たりの変化量の絶対値が予め定められた閾値を上回ったか否かを判定することで、移動体の移動速度が急激に減速したか否かを判定するものであった場合には、期間設定部４０は、変化量の絶対値が閾値を上回った時点を境界点ｔ０とする。
【００３３】
演算部４２は、第１期間ΔＴ１における中間データの最小値あるいは最大値に基づいて最高速度としての第１速度データＶ１（図７）を求める第１演算動作を行う。
本実施の形態では、中間データが周期を示すので、演算部４２は、第１期間ΔＴ１における中間データの最小値に基づいて最高速度としての第１速度データＶ１（図７）を求める第１演算動作を行う。
また、演算部４２は、第２期間ΔＴ２における中間データの平均値に基づいて平均速度としての第２速度データＶ２（図７）を求める第２演算動作を行う。
本実施の形態では、演算部４２による第２演算動作は、第２期間ΔＴ２において予め定められた上限値ＤＨと下限値ＤＬとの間に該当する中間データに対してなされる。
上限値ＤＨは、第１速度データＶ１に対応する中間データに、予め定められた第１係数ｋ１を乗じた値であり、下限値ＤＬは、第１速度データＶ１に対応する中間データに、第１係数ｋ１よりも小さな値であって予め定められた第２係数ｋ２を乗じた値である。
第１係数ｋ１、第２係数ｋ２は例えば１．１〜１．９の間で設定することができる。
このように演算部４２による第２演算動作を、上限値ＤＨと下限値ＤＬとの間に該当する中間データに対して行うことにより、中間データに含まれるノイズが第２演算動作に与える影響を抑制する上で有利となる。
【００３４】
また、演算部４２は、判定部３８による判定結果が否定である場合に、蓄積部３６に蓄積された全ての中間データの最小値あるいは最大値に基づいて最高速度としての第３速度データＶ３を求める第３演算動作を行う。
本実施の形態では、中間データが周期のデータであるため、演算部４２は、判定部３８による判定結果が否定である場合に、蓄積部３６に蓄積された全ての中間データの最小値に基づいて最高速度としての第３速度データＶ３を求める第３演算動作を行う。
【００３５】
また、演算部４２は、判定部３８による判定結果が否定である場合に、蓄積部３６に蓄積された全ての中間データの平均値に基づいて平均速度としての第４速度データＶ４を求める第４演算動作を行う。
【００３６】
操作スイッチ２２のうちモード選択スイッチ２２０２（図１）は、ゴルフモード、バットモード（特許請求の範囲の第１計測モードに相当）、ボールモード（特許請求の範囲の第２計測モードに相当）の何れかの計測モードを制御部４４に設定する操作を受け付けるものである。
本実施の形態では、操作スイッチ２２によって特許請求の範囲における「前記制御部に対して計測モードを設定するための操作部」が構成されている。
【００３７】
制御部４４は、モード選択スイッチ２２０２が受け付けた操作に応じて演算部４２を制御して第１乃至第４演算動作を実行させる。
また、制御部４４は、第１乃至第４速度データＶ１乃至Ｖ４を第１表示領域２０２０、第２表示領域２０２２に表示させる。
本実施の形態では、第１速度データＶ１を第１表示領域２０２０に表示させ、第２速度データＶ２を第２表示領域２０２２に表示させ、また、第３速度データＶ３、第４速度データＶ４を第１表示領域２０２０に表示させる。
本実施の形態では、制御部４４によって特許請求の範囲の「制御部」が構成されている。
【００３８】
第１、第２、第３履歴表示領域２０１０、２０１２、２０１４について説明する。
制御部４４は、第１、第２表示領域２０２０、２０２２に表示された速度データを記憶部としてのＲＡＭ３２Ｃに時系列順に記憶している。
制御部４４は、ＲＡＭ３２Ｃに記憶されている速度データを最新のものから３つずつ読み出して第１、第２、第３履歴表示領域２０１０、２０１２、２０１４に時系列順に表示させる。
第１、第２、第３履歴表示領域２０１０、２０１２、２０１４に表示させる速度データとして第１乃至第４速度データＶ１乃至Ｖ４の何れを用いるかは適宜設定される。
【００３９】
次に、速度計測装置１０の動作について説明する。
まず、移動体がゴルフクラブヘッド２とゴルフボール６との２つの移動体であり、ゴルフクラブヘッド２のヘッド速度と、ゴルフボール６の初速との双方を同時に計測する場合について説明する。
図８はゴルフクラブヘッド２およびゴルフボール６を移動体として計測する場合の速度計測装置１０の設置状態を説明する平面図、図９はゴルフクラブヘッド２およびゴルフボール６を移動体として計測する場合の速度計測装置１０の動作を示すフローチャートである。
【００４０】
図９に示すように、まず、使用者は、モード選択ボタン２２０２を操作して、速度計測装置１０の計測モードとしてゴルフモード、バットモード、ボールモードのうちのゴルフモードを選択し、制御部４２は、モード選択ボタン２２０２の操作を受け付けてゴルフモードが設定される（ステップＳ１０）。ゴルフモードは、第１、第２速度データＶ１，Ｖ２の双方を計測して表示するモードである。
なお、この場合、制御部４２が液晶パネル２０を制御することにより、図２に示すように、計測モード表示領域２０４０におけるバットアイコン２０４０Ａおよびボールアイコン２０４０Ｂの双方が非表示であり、ゴルフモードであることが表示されている。
【００４１】
次に、使用者は、図８に示すように、ゴルフボール６の打ち出し方向においてゴルフボール６から例えば１ｍ〜１．５ｍ程度後方の箇所に、速度計測装置１０をその前部１６をゴルフボール６に向けて設置する。
速度計測装置１０は、地面の上に載置してもよいし、あるいは、三脚などの固定具を介して設置してもよい。
これにより、アンテナ２４から送出された送信波Ｗ１がゴルフボール６およびゴルフククラブヘッド２に当たり、反射波Ｗ２がアンテナ２４に受信可能な状態となる。
【００４２】
次に、使用者がゴルフクラブ４を把持してスウィングしてゴルフクラブヘッド２でゴルフボール６を打ち出すと、速度計測装置１０による計測動作が実行される。
具体的には、送信波Ｗ１がゴルフクラブヘッド２およびゴルフボール６に反射され、反射波Ｗ２がドップラーセンサ２６で受信され、ドップラーセンサ２６でドップラー信号Ｓｄが生成される（ステップＳ１２）。
ドップラー信号Ｓｄは、信号処理回路２８によって２値化信号に変換されたのち、検出部３４によってドップラー周波数Ｆｄに対応付けられた中間データに変換され、この中間データがサンプリングされ、時系列データとして蓄積部３６に蓄積される（ステップＳ１４）。
【００４３】
次に、判定部３８は、蓄積部３６に蓄積された中間データが時間経過と共にＮ個（Ｎは２以上の自然数）連続して数値が増加したか否かを判定する（ステップＳ１６）。
ステップＳ１６が肯定ならば、期間設定部４０によって、蓄積部３６に蓄積された中間データに基づいて、第１期間ΔＴ１、第２期間ΔＴ２が設定される（ステップＳ１８）。
次いで、ステップＳ１０でゴルフモードが設定されたことに基づいて制御部４４が演算部４２を制御することで、演算部４２は、第１速度データＶ１を求める第１演算動作と第２速度データＶ２を求める第２演算動作とを実行する（ステップＳ２０、Ｓ２２）。
制御部４４は、図２に示すように、第１速度データＶ１をヘッド速度として第１表示領域２０２０に表示させ、第２速度データＶ２をボール初速として第２表示領域２０２２に表示させ（ステップＳ２４）、計測動作を終了する。
なお、ゴルフモードの場合、予め制御部４４によって、第１単位表示領域２０３０、第２単位表示領域２０３２に表示される速度の単位はｍ／ｓあるいはＭＰＨの何れかに設定されている。
【００４４】
一方、ステップＳ１６が否定ならば、演算部４２は、第３速度データＶ３を求める第３演算動作を行う（ステップＳ２６）。
すなわち、ステップＳ１６が否定であるということは、ゴルフクラブ４をスウィングしているが、ゴルフクラブヘッド２がゴルフボール６が打撃しておらず、いわゆる素振りがなされていることになる。
したがって、この場合には、ゴルフクラブへッド２のヘッド速度としての第３速度データＶ３のみを計測、表示すればよい。
次いで、制御部４４は、第３速度データＶ３をヘッド速度として第１表示領域２０２０に表示させ（ステップＳ２４）、計測動作を終了する。
この場合、制御部４４は、第２表示領域２０２２にはゼロ表示を行わせ、ゴルフボール６の初速の計測がなされていないことを表示する。
【００４５】
本例では、第１、第２速度データＶ１、Ｖ２の双方を第１、第２表示領域２０２０、２０２２に同時に表示させる場合について説明したが、第１、第２速度データＶ１、Ｖ２の何れか一方のみを表示させるようにしてもよい。
すなわち、制御部４４に対して表示モードを設定するための操作スイッチ２２（操作部に相当）を設ける。
制御部４４は、操作部が操作されることにより表示モードとして第１表示モードが設定されると、制御部４４は、第１速度データＶ１および第２速度データＶ２の双方を表示領域に表示させる。
制御部４４は、操作部が操作されることにより表示モードとして第２表示モードが設定されると、制御部４４は、第１速度データＶ１のみを表示領域に表示させる。
制御部４４は、操作部が操作されることにより表示モードとして第３表示モードが設定されると、制御部４４は、第２速度データのみを表示領域に表示させる。
このようにすると、使用者が必要とする速度データを的確に表示する上で有利となる。
【００４６】
なお、制御部４４によって初速効率Ｒを算出して第１速度データＶ１と共に液晶パネル２０に表示させるようにしてもよい。
ここで初速効率Ｒは、式（３）で示されるように、第１速度データＶ１に対する第２速度データＶ２の比率に相当する。
Ｒ＝（Ｖ２／Ｖ１）                    （３）
さらに、式（４）で示されるように、予め定められた初速効率Ｒの最大値Ｒｍ（理論最大効率）に対する初速効率Ｒの比率をインパクト効率Ｉｐとして算出し、このインパクト効率Ｉｐを第１速度データＶ１と共に液晶パネル２０に表示させるようにしてもよい。
Ｉｐ＝（Ｒ／Ｒｍ）×１００（％）      （４）
数値例を挙げると次のとおりである。
Ｖ１：４０ｍ／ｓ、Ｖ２：６０ｍ／ｓ、Ｒ：１．５、  Ｉｐ：１００％
Ｖ１：４０ｍ／ｓ、Ｖ２：５５ｍ／ｓ、Ｒ：１．３８、Ｉｐ：  ９２％
（ただし、Ｒｍ＝１．５とする）
【００４７】
すなわち、制御部４４によって第１速度データＶ１を第１表示領域２０２０、第２表示領域２０２２の一方に、初速効率Ｒあるいはインパクト効率Ｉｐを第１表示領域２０２０、第２表示領域２０２２の他方に表示させればよい。この場合、初速効率Ｒは無次元であるため％表示を行わず、インパクト効率Ｉｐについては％表示とする。
【００４８】
次に、移動体が野球用のバットなどであり、速度計測装置１０によって野球用のバットのスウィングの速度を計測する場合について説明する。
ただし、本例では、ティーバッティングのように、ティーに載置された野球用のボールを野球用のバットで打撃する場合について説明する。
図１０は野球用のバット５０を移動体として計測する場合の速度計測装置１０の設置状態を説明する平面図、図１１は野球用のバット５０を移動体として計測する場合の速度計測装置１０の動作を示すフローチャートである。
【００４９】
図１０に示すように、まず、使用者は、モード選択ボタン２２０２を操作して、速度計測装置１０の計測モードとしてゴルフモード、バットモード、ボールモードのうちのバットモードを選択し、制御部４２は、モード選択ボタン２２０２の操作を受け付けてバットモードが設定される（ステップＳ１１０）。
なお、この場合、制御部４２が液晶パネル２０を制御することにより、図３に示すように、計測モード表示領域２０４０におけるバットアイコン２０４０Ａが表示され、ボールアイコン２０４０Ｂが非表示であり、バットモードであることが表示されている。
【００５０】
次に、使用者は、図１０に示すように、ティー上に載置したボール５２の打ち出し方向において（ホームベースとピッチャーとを結ぶ直線に沿った方向において）ボール５２から例えば１．５ｍ〜２．０ｍ程度後方の箇所に、速度計測装置１０をその前部１６をボール５２に向けて設置する。
速度計測装置１０は、三脚などの固定具を介して設置する。
これにより、アンテナ２４から送出された送信波Ｗ１がバット５０に当たり、反射波Ｗ２がアンテナ２４に受信可能な状態となる。
【００５１】
次に、使用者がバット５０を把持してスウィングしてバット５０でボール５２を打ち出すと、速度計測装置１０による計測動作が実行される。
具体的には、送信波Ｗ１がバット５０およびボール５２に反射され、反射波Ｗ２がドップラーセンサ２６で受信され、ドップラーセンサ２６でドップラー信号Ｓｄが生成される（ステップＳ１１２）。
以下、ステップＳ１１４、Ｓ１１６の処理は、図９のステップＳ１４、Ｓ１６と同様であるため説明を省略する。
【００５２】
ステップＳ１１６が否定ならば、演算部４２は、第３速度データＶ３を求める第３演算動作を行う（ステップＳ１２６）。
次いで、制御部４４は、図３の場合と同様に、第３速度データＶ３をスウィング速度として第１表示領域２０２０に表示させ、第２表示領域２０２２をゼロ表示とし（ステップＳ１２８）、計測動作を終了する。
なお、バットモードの場合、予め制御部４４によって、第１単位表示領域２０３０に表示される速度の単位はｋｍ／ｈに設定されている。
【００５３】
一方、ステップＳ１１６が肯定ならば、ステップＳ１１８、Ｓ１２０が実行される。ステップＳ１１８、Ｓ１２０の処理は、図９のステップＳ１８、Ｓ２０と同様であるため説明を省略する。
次いで、制御部４４は、図３に示すように、第１速度データＶ１をスウィング速度として第１表示領域２０２０に表示させ、第２表示領域２０２２をゼロ表示とし（ステップＳ１２２）、計測動作を終了する。
【００５４】
ステップＳ１１６の判定についてより詳細に説明する。
送信波Ｗ１としてマイクロ波を用いる場合、野球用のバット５０では反射波Ｗ２が発生するのに対して、野球用のボール５２の材質によっては送信波Ｗ１の大半が吸収されてしまうので反射波Ｗ２の強度が低くなることがある。
そのため、ボール５２からの反射波Ｗ２によって生成されるドップラー信号Ｓｄは信号処理回路２８において有効な信号として認識されず、したがって、２値化信号が検出されないため、ステップＳ１１６の判定は否定となり、ステップＳ１２６、Ｓ１２８が実行されることになる。
しかしながら、ボール５２からの反射波Ｗ２によって生成されるドップラー信号が信号処理回路２８において有効な信号として認識されて２値化信号が検出された場合には、蓄積部３６に蓄積された中間データに含まれる誤差が大きなものとなる。
このように誤差が含まれた中間データを用いて第３速度データＶ３を求めると、第３速度データＶ３の精度が低下することになる。
そこで、ステップＳ１１６が肯定となった場合には、第１期間ΔＴ１の中間データのみを用いて第１速度データＶ１を計測し、この第１速度データＶ１を第１表示領域２０２０に表示させている。これにより、ボール５２の影響を除いたバット５０の速度を正確に計測して表示させることができる。
【００５５】
なお、本実施の形態では、ステップＳ１２８において第２表示領域２０２２をゼロ表示とする場合について説明したが、次のような計数動作を行うようにしてもよい。
すなわち、制御部４４は、第１速度データＶ１および第２速度データＶ２の双方または一方を前記の表示領域に表示させるごとに計測回数を計数する。例えば、制御部４４は、計数カウンタをインクリメントすることで計測回数を計数する。
そして、制御部４４は、計数した計測回数を液晶パネル２０（例えば第２表示領域２０２２）に計測回数（この場合はバットのスウィング回数）として表示させる。
この場合、計数動作のリセットは、電源のオフによってなされてもよいし、制御部４４が操作スイッチ２２によるリセット操作を受けることによってなされてもよい。
このようにすると、使用者はバットのスウィング回数を視認することができ使い勝手を高める上で有利となる。
なお、このような計数動作、スウィング回数の表示動作は、計測モードがゴルフモード、バットモード、ボールモードの何れに設定されている場合にも行うようにしてもよい。
したがって、計測モードが後述するボールモードに設定されている場合は、制御部４４は、計数した計測回数を、シュート回数として液晶パネル２０に表示させることになる。
【００５６】
次に、移動体がサッカー用のボールであり、速度計測装置１０によって足でシュートされたボールの速度を計測する場合について説明する。
図１２はサッカー用のボール６０を移動体として計測する場合の速度計測装置１０の設置状態を説明する平面図、図１３はサッカー用のボール６０を移動体として計測する場合の速度計測装置１０の動作を示すフローチャートである。
【００５７】
図１３に示すように、まず、使用者は、モード選択ボタン２２０２を操作して、速度計測装置１０の計測モードとしてゴルフモード、バットモード、ボールモードのうちのボールモードを選択し、制御部４２は、モード選択ボタン２２０２の操作を受け付けてボールモードが設定される（ステップＳ２１０）。
なお、この場合、制御部４２が液晶パネル２０を制御することにより、図４に示すように、計測モード表示領域２０４０におけるバットアイコン２０４０Ａが非表示であり、ボールアイコン２０４０Ｂが表示され、ボールモードであることが表示されている。
【００５８】
次に、使用者は、図１２に示すように、ボール６０のシュート方向と直交する方向においてボール６０から例えば約３０ｃｍ以内に離間した箇所に、速度計測装置１０をその前部１６をシュート方向と平行する前方に向けて設置する。
速度計測装置１０は、地面の上に載置するか、あるいは、三脚などの固定具を介して地面に設置する。
これにより、アンテナ２４から送出された送信波Ｗ１がボール６０に当たり、反射波Ｗ２がアンテナ２４に受信可能な状態となる。
【００５９】
次に、使用者が足によってボール６０を蹴り出すと、速度計測装置１０による計測動作が実行される。
具体的には、送信波Ｗ１が使用者の足およびボール５２に反射され、反射波Ｗ２がドップラーセンサ２６で受信され、ドップラーセンサ２６でドップラー信号Ｓｄが生成される（ステップＳ２１２）。
以下、ステップＳ２１４、Ｓ２１６の処理は、図９のステップＳ１４、Ｓ１６と同様であるため説明を省略する。
【００６０】
ステップＳ２１６が否定ならば、演算部４２は、第４速度データＶ４を求める第４演算動作を行う（ステップＳ２２６）。
次いで、制御部４４は、図４の場合と同様に、第４速度データＶ４をボール速度として第１表示領域２０２０に表示させ、第２表示領域２０２２をゼロ表示とし（ステップＳ２２８）、計測動作を終了する。
なお、ボールモードの場合、予め制御部４４によって、第１単位表示領域２０３０に表示される速度の単位はｋｍ／ｈに設定されている。
【００６１】
一方、ステップＳ２１６が肯定ならば、ステップＳ２１８、Ｓ２２０が実行される。
ステップＳ２１８、Ｓ２２０の処理は、図９のステップＳ１８、Ｓ２２と同様であるため説明を省略する。
次いで、制御部４４は、図４に示すように、第２速度データＶ２をボール速度として第１表示領域２０２０に表示させ、第２表示領域２０２２をゼロ表示とし（ステップＳ２２４）、計測動作を終了する。
【００６２】
ステップＳ２１６の判定についてより詳細に説明する。
送信波Ｗ１としてマイクロ波を用いる場合、サッカー用のボール６０では反射波Ｗ２が発生するのに対して、通常、使用者の足ではその物理的特性から送信波Ｗ１の大半が吸収されるので反射波Ｗ２の強度は低いものである。
そのため、足からの反射波Ｗ２によって生成されるドップラー信号Ｓｄは信号処理回路２８において有効な信号として認識されず、したがって、２値化信号が検出されないため、ステップＳ２１６の判定は否定となり、ステップＳ２２６、Ｓ２２８が実行されることになる。
しかしながら、足からの反射波Ｗ２によって生成されるドップラー信号が信号処理回路２８において有効な信号として認識されて２値化信号が検出された場合には、蓄積部３６に蓄積された中間データに含まれる誤差が大きなものとなる。
このように誤差が含まれた中間データを用いて第４速度データＶ４を求めると、第４速度データＶ４の精度が低下することになる。
そこで、ステップＳ２１６が肯定となった場合には、第２期間ΔＴ２の中間データのみを用いて第２速度データＶ２を計測し、この第２速度データＶ２を第１表示領域２０２０に表示させている。これにより、足の影響を除いたボール６０の速度を正確に計測して表示させることができる。
【００６３】
なお、本実施の形態では、バットモードの場合に、野球のバットとボールを例にとって説明したが、計測の対象となる移動体は、テニスやバトミントンのラケットなど任意である。
また、ボールモードの場合に、サッカーボールを例にとって説明したが、計測の対象となる移動体は、バレーボールや野球のボールなど任意である。
【００６４】
以上説明したように本実施の形態によれば、ドップラーセンサによって得られるドップラー信号に基づいて移動体の移動速度の急激な変化が生じる境界点を検出する。そして、境界点以前の第１期間における移動速度の最大速度としての第１速度データと、境界点以降の第２期間における移動速度の平均速度としての第２速度データとを求めてそれら最大速度および平均速度を表示するようにした。
したがって、移動体の最大速度と平均速度との双方を１回の計測で的確に得て表示することができ、使用者の利便性の向上を図る上で有利となる。
特に、ゴルフクラブヘッドでゴルフボールを打撃するといったように２つの移動体が存在する場合に、ゴルフクラブヘッドのヘッド速度とゴルフボールの初速との双方を１回の計測で的確に得ることができるため、使用者の利便性の向上を図る上で有利となる。
【００６５】
また、最大速度（第１速度データ）と、平均速度（第２速度データ）との一方または双方を表示することができるので、使用者が必要とする速度データを的確に表示する上で有利となる。
【符号の説明】
【００６６】
２……ゴルフクラブヘッド、６……ゴルフボール、１０……速度計測装置、２０……液晶パネル、２０２０……第１表示領域、２０２２……第２表示領域、２２……操作スイッチ、２６……ドップラーセンサ、２８……信号処理回路、３４……検出部、３６……蓄積部、３８……判定部、４０……期間設定部、４２……演算部、４４……制御部、５０……野球用のバット、５２……野球用のボール、６０……サッカー用のボール、ｔ０……境界点、ΔＴ１……第１期間、ΔＴ２……第２期間、Ｗ１……送信波、Ｗ２……反射波、Ｆｄ……ドップラー周波数、Ｓｄ……ドップラー信号、Ｖ１……第１速度データ、Ｖ２……第２速度データ、Ｖ３……第３速度データ、Ｖ４……第４速度データ、ＤＨ……上限値、ＤＬ……下限値、ｋ１……第１係数、ｋ２……第２係数。
【図１】
2011089907.tif 000003
【図２】
2011089907.tif 000004
【図３】
2011089907.tif 000005
【図４】
2011089907.tif 000006
【図５】
2011089907.tif 000007
【図６】
2011089907.tif 000008
【図７】
2011089907.tif 000009
【図８】
2011089907.tif 000010
【図９】
2011089907.tif 000011
【図１０】
2011089907.tif 000012
【図１１】
2011089907.tif 000013
【図１２】
2011089907.tif 000014
【図１３】
2011089907.tif 000015